(57)【特許請求の範囲】
【請求項１】
第１部材（１）と、ギア部（４）を有する第２部材（２）とを、揺動可能に枢結し、一面側が上記ギア部（４）に噛合可能な歯面（７）とされ他面側が上記第１部材（１）側に形成されたくさび面（８）に当接する当接面（９）とされた浮動くさび部材（６）を備え、上記当接面（９）が上記くさび面（８）に当接すると共に上記歯面（７）と上記ギア部（４）が噛合する噛合状態では、上記第１部材（１）と上記第２部材（２）が相対的に展開方向（Ｂ）へ揺動するのを抑制し、かつ、上記第１部材（１）と上記第２部材（２）を相対的に折畳み方向（Ａ）に揺動させて最終折畳位置（Ｐ０）とすることにより、上記浮動くさび部材（６）を移動させて上記ギア部（４）から離間させ該ギア部（４）と上記歯面（７）の噛合を解除した退避状態とし、該退避状態下で、上記第１部材（１）と上記第２部材（２）が相対的に展開方向（Ｂ）へ揺動可能となるように構成された角度調整金具に於て、
上記第１部材（１）と上記第２部材（２）を上記最終折畳位置（Ｐ０）から相対的に展開方向（Ｂ）へ揺動させる展開動作（Ｍ１）の途中に於て、折畳み方向（Ａ）への所定の小角度（θ）の引返し動作（Ｍ２）によって、上記浮動くさび部材（６）を上記退避状態から上記ギア部（４）との噛合状態に復帰させる復帰手段（１０）を具備したことを特徴とする角度調整金具。
【請求項２】
上記復帰手段（１０）は、上記第２部材（２）に摺動可能に圧接すると共に上記第１部材（１）に対して上記所定の小角度（θ）の範囲で回動可能に規制される圧接摩擦板（１３）と、その一端（３ａ）が上記圧接摩擦板（１３）に連結され中間部を支点として所定の角度範囲で揺動自在であると共に他端（３ｂ）が上記退避状態の上記浮動くさび部材（６）に押圧可能に配設された梃子部材（３）とを、具備し、
上記退避状態下で、上記第１部材（１）と上記第２部材（２）の展開方向（Ｂ）への展開動作（Ｍ１）中は、上記浮動くさび部材（６）は上記退避状態を維持し、かつ、上記折畳み方向（Ａ）への引返し動作（Ｍ２）により、上記圧接摩擦板（１３）が上記第２部材（２）との摩擦力によって上記所定の小角度（θ）だけ回動すると共に上記梃子部材（３）が上記浮動くさび部材（６）を押圧して移動させ上記ギア部（４）と上記歯面（７）を噛合状態とするように構成されている請求項１記載の角度調整金具。
【請求項３】
上記復帰手段（１０）は、上記第２部材（２）に摺動可能に圧接すると共に上記第１部材（１）に対して上記所定の小角度（θ）の範囲で回動可能に規制される圧接摩擦板（１３）と、その一端（１１ａ）が上記圧接摩擦板（１３）に連結され中間部を支点として所定の角度範囲で揺動自在であると共に他端（１１ｂ）が上記退避状態の上記浮動くさび部材（６）に弾発的に当接するように配設された弾性揺動部材（１１）とを、具備し、
上記退避状態下で、上記第１部材（１）と上記第２部材（２）の展開方向（Ｂ）への展開動作（Ｍ１）中は、上記弾性揺動部材（１１）の上記他端（１１ｂ）が上記浮動くさび部材（６）に非押圧状態で当接すると共に該浮動くさび部材（６）は上記退避状態を維持し、かつ、上記折畳み方向（Ａ）への引返し動作（Ｍ２）により、上記弾性揺動部材（１１）が弾発力をもって上記浮動くさび部材（６）を押圧して移動させ上記ギア部（４）と上記歯面（７）を噛合状態とするように構成されている請求項１記載の角度調整金具。
【請求項４】
上記復帰手段（１０）は、上記第２部材（２）に摺動可能に圧接すると共に上記第１部材（１）に対して上記所定の小角度（θ）の範囲で回動可能に規制される圧接摩擦板（１３）と、上記浮動くさび部材（６）に当接して上記ギア部（４）に押し付ける方向に弾発付勢するばね部材（１６）と、その一端（１２ａ）が上記圧接摩擦板（１３）に連結され中間部を支点（Ｏ１２）として所定の角度範囲で揺動自在であると共に他端（１２ｂ）が上記ばね部材（１６）に連結される揺動腕（１２）とを、具備し、
上記退避状態下で、上記第１部材（１）と上記第２部材（２）の展開方向（Ｂ）への展開動作（Ｍ１）中は、上記揺動腕（１２）が上記ばね部材（１６）を第１位置（Ｓ１）に保持して上記浮動くさび部材（６）は上記退避状態を維持し、かつ、上記折畳み方向（Ａ）への引返し動作（Ｍ２）により、上記揺動腕（１２）が上記ばね部材（１６）を上記第１位置（Ｓ１）から第２位置（Ｓ２）に移動させて上記ばね部材（１６）が上記浮動くさび部材（６）に摺接しつつ摩擦力をもって該浮動くさび部材（６）を移動させ上記ギア部（４）と上記歯面（７）を噛合状態とするように構成されている請求項１記載の角度調整金具。
【請求項５】
座部（３１）と背部（３２）を有し、該背部（３２）の傾斜角度を調整できるよう上記座部（３１）と上記背部（３２）との連結部（３３）に角度調整機構を有する角度調整金具（３０）（３０）を備える座椅子に於て、
上記角度調整金具（３０）（３０）は、上記座部（３１）に対して上記背部（３２）の起立方向（Ａ）への揺動を可能とし、かつ、上記背部（３２）が傾倒方向（Ｂ）へ揺動するのを規制し、さらに、上記座部（３１）に対し上記背部（３２）を略垂直状として最終起立姿勢（Ｔ０）とすることにより、上記規制を解除して上記背部（３２）の傾倒方向（Ｂ）への揺動が可能となるように構成され、
上記背部（３２）を上記最終起立姿勢（Ｔ０）から傾倒方向（Ｂ）へ揺動させる展開動作（Ｍ１）の途中に於て、起立方向（Ａ）への所定の小角度（θ）の引返し動作（Ｍ２）によって、上記傾倒方向（Ｂ）への規制を復元し上記背部（３２）を中間傾斜姿勢（Ｔ１）で保持するように構成されたことを特徴とする座椅子。
【発明の詳細な説明】
【技術分野】
【０００１】
本発明は、角度調整金具及び座椅子に関する。
【背景技術】
【０００２】
例えば、図４２の斜視図に示す座椅子は、座部３１と背部３２を有し、背部３２の傾斜角度を調整できるよう背部３２と座部３１の間に角度調整機構を有する関節金具（角度調整金具）を備えている。
従来、本出願人は、座部３１側の第１部材と背部３２側の第２部材との成す角度を任意に設定できるように構成された角度調整金具を提案している（特許文献１参照）。
【０００３】
特許文献１記載の角度調整金具は、第１部材に対し第２部材の折畳み方向への揺動を可能とし、かつ、展開方向への揺動を多段階で規制して、所望の傾斜角度で保持するように構成されていた。
【先行技術文献】
【特許文献】
【０００４】
【特許文献１】特許第５０９１３６２号公報
【発明の概要】
【発明が解決しようとする課題】
【０００５】
従来の角度調整金具は、第２部材に形成されたギア部と、一面側がギア部に噛合可能な歯面とされ他面側が第１部材のくさび面に当接する当接面とされた浮動くさび部材とを、備え、この浮動くさび部材のくさび作用により第１部材に対して第２部材が傾倒方向へ揺動するのを規制している。第１部材と第２部材の成す角度がほぼ９０度となる最終折畳み位置に於て、浮動くさび部材とギア部の噛合状態が解除されて上記くさび作用が無効化され、第２部材が展開方向へ揺動自在となる構造であった。
【０００６】
しかし、一旦、浮動くさび部材とギア部の噛合状態を解除して浮動くさび部材のくさび作用を無効化すると、第１部材と第２部材の成す角度が１８０度となる水平展開状となるまで浮動くさび部材のくさび作用を復元させることができなかった。図２９の座椅子の背部の後方に十分なスペースが確保できないと、背部を水平展開状にできない場合があり、座部を持ち上げて無理矢理に展開しなければならない等、使い勝手が悪く、操作が面倒であるという欠点があった。
【０００７】
そこで、本発明は、背部を最終折畳み位置から水平展開状に揺動する途中の任意の位置で簡単に揺動規制状態を復元し、迅速かつ円滑に角度調整を行い得る角度調整金具を提供することを目的とする。
【課題を解決するための手段】
【０００８】
本発明に係る角度調整金具は、第１部材と、ギア部を有する第２部材とを、揺動可能に枢結し、一面側が上記ギア部に噛合可能な歯面とされ他面側が上記第１部材側に形成されたくさび面に当接する当接面とされた浮動くさび部材を備え、上記当接面が上記くさび面に当接すると共に上記歯面と上記ギア部が噛合する噛合状態では、上記第１部材と上記第２部材が相対的に展開方向へ揺動するのを抑制し、かつ、上記第１部材と上記第２部材を相対的に折畳み方向に揺動させて最終折畳位置とすることにより、上記浮動くさび部材を移動させて上記ギア部から離間させ該ギア部と上記歯面の噛合を解除した退避状態とし、該退避状態下で、上記第１部材と上記第２部材が相対的に展開方向へ揺動可能となるように構成された角度調整金具に於て、上記第１部材と上記第２部材を上記最終折畳位置から相対的に展開方向へ揺動させる展開動作の途中に於て、折畳み方向への所定の小角度の引返し動作によって、上記浮動くさび部材を上記退避状態から上記ギア部との噛合状態に復帰させる復帰手段を具備したものである。
また、上記復帰手段は、上記第２部材に摺動可能に圧接すると共に上記第１部材に対して上記所定の小角度の範囲で回動可能に規制される圧接摩擦板と、その一端が上記圧接摩擦板に連結され中間部を支点として所定の角度範囲で揺動自在であると共に他端が上記退避状態の上記浮動くさび部材に押圧可能に配設された梃子部材とを、具備し、上記退避状態下で、上記第１部材と上記第２部材の展開方向への展開動作中は、上記浮動くさび部材は上記退避状態を維持し、かつ、上記折畳み方向への引返し動作により、上記圧接摩擦板が上記第２部材との摩擦力によって上記所定の小角度だけ回動すると共に上記梃子部材が上記浮動くさび部材を押圧して移動させ上記ギア部と上記歯面を噛合状態とするように構成されている。
【０００９】
また、上記復帰手段は、上記第２部材に摺動可能に圧接すると共に上記第１部材に対して上記所定の小角度の範囲で回動可能に規制される圧接摩擦板と、その一端が上記圧接摩擦板に連結され中間部を支点として所定の角度範囲で揺動自在であると共に他端が上記退避状態の上記浮動くさび部材に弾発的に当接するように配設された弾性揺動部材とを、具備し、上記退避状態下で、上記第１部材と上記第２部材の展開方向への展開動作中は、上記弾性揺動部材の上記他端が上記浮動くさび部材に非押圧状態で当接すると共に該浮動くさび部材は上記退避状態を維持し、かつ、上記折畳み方向への引返し動作により、上記弾性揺動部材が弾発力をもって上記浮動くさび部材を押圧して移動させ上記ギア部と上記歯面を噛合状態とするように構成されているものである。
また、上記復帰手段は、上記第２部材に摺動可能に圧接すると共に上記第１部材に対して上記所定の小角度の範囲で回動可能に規制される圧接摩擦板と、上記浮動くさび部材に当接して上記ギア部に押し付ける方向に弾発付勢するばね部材と、その一端が上記圧接摩擦板に連結され中間部を支点として所定の角度範囲で揺動自在であると共に他端が上記ばね部材に連結される揺動腕とを、具備し、上記退避状態下で、上記第１部材と上記第２部材の展開方向への展開動作中は、上記揺動腕が上記ばね部材を第１位置に保持して上記浮動くさび部材は上記退避状態を維持し、かつ、上記折畳み方向への引返し動作により、上記揺動腕が上記ばね部材を上記第１位置から第２位置に移動させて上記ばね部材が上記浮動くさび部材に摺接しつつ摩擦力をもって該浮動くさび部材を移動させ上記ギア部と上記歯面を噛合状態とするように構成されているものである。
【００１０】
また、本発明に係る座椅子は、座部と背部を有し、該背部の傾斜角度を調整できるよう上記座部と上記背部との連結部に角度調整機構を有する角度調整金具を備える座椅子に於て、上記角度調整金具は、上記座部に対して上記背部の起立方向への揺動を可能とし、かつ、上記背部が傾倒方向へ揺動するのを規制し、さらに、上記座部に対し上記背部を略垂直状として最終起立姿勢とすることにより、上記規制を解除して上記背部の傾倒方向への揺動が可能となるように構成され、上記背部を上記最終起立姿勢から傾倒方向へ揺動させる展開動作の途中に於て、起立方向への所定の小角度の引返し動作によって、上記傾倒方向への規制を復元し上記背部を中間傾斜姿勢で保持するように構成されたものである。
【発明の効果】
【００１１】
本発明の角度調整金具によれば、第１部材と第２部材を最終折畳位置から展開方向に揺動させる途中の任意位置にて、折畳み方向に少しだけ引き戻すことで、浮動くさび部材をギア部に確実に噛合させ第１部材と第２部材が展開方向に揺動するのを抑制できる。即ち、浮動くさび部材とギア部の噛合を解除した後、第１部材と第２部材が１８０度の角度を成すまで水平展開状とする以前に、第１部材と第２部材を所望の傾斜角度で簡単に保持できる。
また、本発明の座椅子によれば、背部を最終起立姿勢とした後、座部と背部の成す角度が１８０度の水平展開状になるまで背部を傾倒させる必要がなく、最終起立姿勢から水平展開姿勢の途中位置で簡単な操作により背部を中間傾斜姿勢として所望の角度で確実に保持できる。従って、背部の後方に干渉物が存在している等の（狭小な）場所にあっても、容易に所望の背部傾倒姿勢に調整できて至便である。
【図面の簡単な説明】
【００１２】
【図１】本発明の実施の一形態を示した分解斜視図である。
【図２】本発明の角度調整金具の組立使用状態の斜視図である。
【図３】第１部材及びカバー部材を省略した要部斜視図である。
【図４】本発明の角度調整金具を示す要部断面図である。
【図５】本発明の角度調整金具を示す要部断面図である。
【図６】本発明の角度調整金具を示す要部断面図である。
【図７】本発明の角度調整金具を示す要部断面図である。
【図８】本発明の角度調整金具を示す要部断面図である。
【図９】本発明の角度調整金具を示す要部断面図である。
【図１０】本発明の角度調整金具を示す要部断面図である。
【図１１】本発明の角度調整金具を示す要部断面図である。
【図１２】本発明の角度調整金具を示す要部断面図である。
【図１３】本発明の角度調整金具を示す要部断面図である。
【図１４】本発明の角度調整金具を示す要部断面図である。
【図１５】本発明の他の実施形態を示した分解斜視図である。
【図１６】第１部材及びカバー部材を省略した要部斜視図である。
【図１７】本発明の角度調整金具を示す要部断面図である。
【図１８】本発明の角度調整金具を示す要部断面図である。
【図１９】本発明の角度調整金具を示す要部断面図である。
【図２０】本発明の角度調整金具を示す要部断面図である。
【図２１】本発明の角度調整金具を示す要部断面図である。
【図２２】本発明の角度調整金具を示す要部断面図である。
【図２３】本発明の角度調整金具を示す要部断面図である。
【図２４】本発明の角度調整金具を示す要部断面図である。
【図２５】本発明の角度調整金具を示す要部断面図である。
【図２６】本発明の角度調整金具を示す要部断面図である。
【図２７】本発明の角度調整金具を示す要部断面図である。
【図２８】弾性揺動部材を示す説明図である。
【図２９】本発明の別の実施形態を示した分解斜視図である。
【図３０】第１部材及びカバー部材を省略した組立使用状態の要部斜視図である。
【図３１】本発明の角度調整金具を示す要部断面図である。
【図３２】本発明の角度調整金具を示す要部断面図である。
【図３３】本発明の角度調整金具を示す要部断面図である。
【図３４】本発明の角度調整金具を示す要部断面図である。
【図３５】本発明の角度調整金具を示す要部断面図である。
【図３６】本発明の角度調整金具を示す要部断面図である。
【図３７】本発明の角度調整金具を示す要部断面図である。
【図３８】本発明の角度調整金具を示す要部断面図である。
【図３９】本発明の角度調整金具を示す要部断面図である。
【図４０】本発明の角度調整金具を示す要部断面図である。
【図４１】本発明の角度調整金具を示す要部断面図である。
【図４２】本発明の座椅子を示す斜視図である。
【発明を実施するための形態】
【００１３】
以下、実施の形態を示す図面に基づき本発明を詳説する。
本発明の角度調整金具は、例えば、図４２の斜視図に示すように、座部３１と背部３２を有する座椅子に於て、背部３２の傾斜角度を調整できるよう座部３１と背部３２との連結部３３に配設されるものであって、座部３１と背部３２を連結する関節金具（連結金具）として角度調整機構を有するものである。この角度調整金具３０は、座椅子以外にも、ソファ又はベッド、リクライニングチェア等に於て座部と背部を連結するのに用いることもでき、あるいは、ヘッドレストやフットレスト等の関節金具としても使用可能である。
【００１４】
図１〜図３に示すように、本発明の角度調整金具は、第１部材１と、ギア部４を有する第２部材２とを、第１軸心Ｃ１廻りに揺動可能に枢結し、一面側がギア部４に噛合可能な歯面７とされ他面側が第１部材１側に形成されたくさび面８に当接する当接面９とされた浮動くさび部材６を備えている。
図４に示すように、この浮動くさび部材６の当接面９がくさび面８に当接すると共に歯面７とギア部４が噛合する噛合状態では、第１部材１と第２部材２が相対的に展開方向Ｂへ揺動するのを抑制（阻止）する。そして、図１０に示すように第１部材１と第２部材２を相対的に折畳み方向Ａに揺動させて最終折畳位置Ｐ０とすることにより、浮動くさび部材６を移動させてギア部４から離間させギア部４と歯面７の噛合を解除した退避状態とし、この退避状態下で、第１部材１と第２部材２が相対的に展開方向Ｂへフリーで揺動可能となるように構成されている。
【００１５】
第１部材１は、一対の対面壁部１７，１７を有するケース部２３と、円筒状の取付部１８とを、有している。ケース部２３（対面壁部１７，１７）には、枢結軸２４を挿通するための貫通孔２１と、浮動くさび部材６を移動自在に保持するくさび形窓部５が形成されている。くさび形窓部５は、第１軸心Ｃ１側を中心として見て、外側に円弧状のくさび面８を有している。くさび形窓部５は、浮動くさび部材６をギア部４から離間させた状態として収納するための退避空間１５を有している。
第２部材２は、相互に平行な２枚のギア板部４５，４５と、円筒状の取付部１９とを、有している。ギア部４は、第１軸心Ｃ１を中心とするギア板部４５，４５の円弧状外周縁部に、例えば、中心角が１００°〜１２０°を成す範囲にわたって形成されている。浮動くさび部材６とギア部４は、左右幅方向の２箇所で噛合し、かつ、歯面７の全ての歯がギア部４に同時に噛合している。ギア部４の始端部・終端部には、突起部１４，１４が配設されている。ギア板部４５，４５には、枢結軸２４を挿通するための軸受孔２２が形成されている。なお、浮動くさび部材６の歯面７には、１３本〜２０本の歯が形成され、ギア部４には、４０本以上の歯、より好ましくは４５本〜６５本の歯が形成されている。従って、角度調整段数は４０段以上とすることができる。
また、第１部材１には、浮動くさび部材６に当接してギア部４に押し付ける方向に弾発付勢するばね部材１６が設けられている。
【００１６】
本発明の角度調整金具は、第１部材１と第２部材２を最終折畳位置Ｐ０から相対的に展開方向Ｂへ揺動させる展開動作Ｍ１の途中に於て、折畳み方向Ａへの所定の小角度θの引返し動作Ｍ２によって、浮動くさび部材６を退避状態からギア部４との噛合状態に復帰させる復帰手段１０を具備している。
【００１７】
図１〜図１４に示した実施の一形態に於て、復帰手段１０は、第２部材２に摺動可能かつ小さな摩擦力をもって圧接すると共に第１部材１に対して所定の小角度θの範囲で回動可能に規制される圧接摩擦板１３と、その一端３ａが圧接摩擦板１３に（小角度揺動可能に枢結等されて）連結され、中間部を支点４２として所定の角度範囲で揺動自在であると共に他端３ｂが退避状態の浮動くさび部材６に押圧可能に配設された梃子部材３とを、具備している。
図１０〜図１２に示す退避状態下で、第１部材１と第２部材２の展開方向Ｂへの展開動作Ｍ１中は、（梃子部材３の他端３ｂが浮動くさび部材６を押圧しない非押圧位置Ｖ１で保持されて）浮動くさび部材６は退避状態を維持する。図１３に示すように、折畳み方向Ａへの引返し動作Ｍ２により、圧接摩擦板１３が第２部材２との摩擦力によって所定の小角度θだけ回動すると共に梃子部材３が（他端３ｂにて浮動くさび部材６を押圧する押圧位置Ｖ２に移行して）浮動くさび部材６を（上方へ）押圧して移動させギア部４と歯面７を噛合状態とするように構成されている。
【００１８】
梃子部材３は、剛性の高い金属（又は樹脂）から成り、略Ｖ字形状に形成されている。梃子部材３の一端３ａは、短円柱状のヘッドを有し、圧接摩擦板１３の円弧状凹部に嵌込まれて揺動自在に支持されている。梃子部材３は、中間部の下面が第１部材１に支点４２で当接し、例えば、シーソーのように一端３ａを上下動させれば他端３ｂが対応して反対に下上に動くように形成されている。
圧接摩擦板１３は、中央に枢結軸２４を挿通するための枢着孔２５が形成され、外周縁部の一部から突出する突片４３に長孔２９が貫設されている。また、圧接摩擦板１３は、左右両側面に突出する一対の摺接凸部２６，２６と、左右方向に交互に折曲げられて弯曲する複数の摺接片部２７，２７，２７を有している。
組立使用状態では、圧接摩擦板１３は、第２部材２のギア板部４５，４５の内面に圧接状として挿入され、ギア板部４５，４５を第１部材１の対面壁部１７，１７（ケース部２３）に装入して挟んだ状態とし、ケース部２３に枢結軸２４を挿通して、第１部材１と第２部材２、及び、圧接摩擦板１３が枢結されている。圧接摩擦板１３の長孔２９には、第１部材１に固着されるストッパピン部材２８が挿通され、圧接摩擦板１３は、第１軸心Ｃ１を中心として所定の小角度θの範囲で回動できるように取着されている。
【００１９】
また、第１部材１のケース部２３を包囲する樹脂製のカバー部材２０を備えている。
カバー部材２０は、第１部材１と第２部材２の下面を覆う底壁部２０Ａと、左右の側面を覆う側壁部２０Ｂと、浮動くさび部材６等の部品の上方を覆う天井壁部２０Ｃとを一体に有し、挿通孔３９，３９を有する金属製の係止具３５によって第１部材１に固着されている。天井壁部２０Ｃの一部には、第２部材２が折畳み方向Ａに揺動した際に進入可能なスリット状開口部３６が形成されており、この開口部３６の両側端縁には、第２部材２に摺接して拡幅可能な薄肉片状のリップ３７が設けられている。側壁部２０Ｂは、浮動くさび部材６の側端面に当接乃至近接して脱落を防止しており、貫通孔２１に対応する位置に孔部３８を有している。係止具３５は、第１部材１のケース部２３に包囲状にカバー部材２０が被せられた状態で、側壁部２０Ｂに弾発力をもって挟み込むように取着され、さらに、枢結軸２４を、挿通孔３９，３９及び孔部３８及び軸受孔２２、枢着孔２５、軸受孔２２に串刺状として挿通して、第１部材１と第２部材２、及び、カバー部材２０と係止具３５が枢結されている。なお、底壁部２０Ａは、側壁部２０Ｂと分離して上下揺動可能な可撓舌片４０を有するも良い。
【００２０】
上述した本発明の角度調整金具の使用方法（作用）について説明する。
図４に示す噛合状態では、浮動くさび部材６の歯面７がギア部４に噛合し、かつ、当接面９がくさび面８に当接し、（第２部材２に展開方向Ｂへ外力が付与されても、）浮動くさび部材６のくさび作用により第１部材１と第２部材２が相対的に展開方向Ｂへ揺動することを規制（阻止）する。
次に、図５に示すように、第１部材１と第２部材２を相対的に折畳み方向Ａに揺動させる折畳み動作Ｍ０を開始すると、浮動くさび部材６はくさび形窓部５内で下方へ小さく移動し、当接面９がくさび面８から離れて僅かな隙間ｄを生じる。この際、圧接摩擦板１３は、第２部材２との摩擦力によって矢印Ｎ方向（図の反時計回り方向）に回動する。ストッパピン部材２８が長孔２９の一端に当たることにより、圧接摩擦板１３は回動を停止する。
【００２１】
図６と図７に示すように、さらに第２部材２を折畳み方向Ａに揺動させると、隙間ｄにより浮動くさび部材６の歯面７がギア部４から離れ、歯面７がギア部４をカチカチと音をたてて乗り越える。
図８のように、折畳み動作Ｍ０の途中で、第１部材１に対し第２部材２を展開方向Ｂへ揺動させようとしても、浮動くさび部材６のくさび作用により展開方向Ｂへの揺動は規制され、第１部材１と第２部材２の傾斜角度は維持（固定保持）される。
そして、図９に於て、折畳み動作Ｍ０を続け、歯面７がギア部４を繰り返し乗り越えていくと、ギア部４が終わり、突起部１４が浮動くさび部材６の上端に当接する。
【００２２】
図１０に示すように、突起部１４が浮動くさび部材６に当接した状態で、第１部材１と第２部材２をさらに折畳み方向Ａに揺動させて最終折畳位置Ｐ０とすることにより、（突起部１４にて押し下げられて）浮動くさび部材６がくさび形窓部５内で下方へ移動して退避空間１５に収納され、歯面７がギア部４から離間する。これを退避状態と呼ぶ。この際、梃子部材３は、他端３ｂが浮動くさび部材６の下端に押圧され、支点４２を中心として揺動し、降下する。この梃子部材３の状態を、非押圧位置Ｖ１とする。梃子部材３が非押圧位置Ｖ１に揺動することにより、一端３ａが圧接摩擦板１３に回転力を付与し、圧接摩擦板１３は矢印Ｒ方向（図の時計回り方向）に小角度θだけ回動する。なお、浮動くさび部材６の下端はくさび形窓部５の底面に当たって止まり、第２部材２は最終折畳位置Ｐ０からさらに折畳み方向Ａには揺動しない。
この退避状態下では、浮動くさび部材６が退避空間１５に収納されて、ギア部４と歯面７の噛合が解除されている。従って、展開方向Ｂへのロック（規制）が解除され、第１部材１と第２部材２は相対的展開方向Ｂへの揺動が可能（フリー状態）となる。
【００２３】
次に、図１１に示すように、第２部材２を展開方向Ｂへ揺動させる展開動作Ｍ１を開始すると、圧接摩擦板１３は、第２部材２の左右のギア板部４５，４５との摩擦力を（矢印Ｒ方向に）受けつつも、ストッパピン部材２８が長孔２９の他端に当たることにより、圧接摩擦板１３は回動を停止している。即ち、梃子部材３は、非押圧位置Ｖ１に保持される。従って、第１部材１と第２部材２の展開方向Ｂへの展開動作Ｍ１中は、梃子部材３の他端３ｂが浮動くさび部材６を上方へ押し上げることなく、退避状態を維持する。
【００２４】
図１２に示すように、退避状態下では、浮動くさび部材６のくさび作用が無効化され、第２部材２は、第１部材１に対して展開方向Ｂに揺動自在となり、任意の傾斜角度まで展開することができる。
図１３に於て、第２部材２を最終折畳位置Ｐ０から水平展開状まで展開方向Ｂに揺動させる（展開動作Ｍ１）途中で、折畳み方向Ａへの所定の小角度θの引返し動作Ｍ２を行うと、圧接摩擦板１３が、第２部材２との摩擦力によって矢印Ｎ方向（図の反時計回り方向）に回動する。梃子部材３は、圧接摩擦板１３に一端３ａが押し下げられて、他端３ｂにて浮動くさび部材６の下端を押圧する（押し上げる）。このように、梃子部材３は、圧接摩擦板１３の回動に伴って、非押圧位置Ｖ１から押圧位置Ｖ２に移行する。梃子部材３は、浮動くさび部材６を退避空間１５から押し出して上方へ移動させる。退避空間１５から押し出された浮動くさび部材６は、歯面７がギア部４と噛合した噛合状態となる（復帰する）。
【００２５】
図１４では、図４と同様に、浮動くさび部材６の歯面７がギア部４に噛合し、かつ、当接面９がくさび面８に当接した噛合状態となり、浮動くさび部材６のくさび作用が復元して、第１部材１と第２部材２が相対的に展開方向Ｂへ揺動するのを、最終折畳位置Ｐ０から水平展開状までの中間傾斜位置で規制（抑制）することができる。
【００２６】
次に、図１５〜図２８は、本発明の角度調整金具の他の実施形態を示している。
図１５〜図２８に於て、復帰手段１０は、第２部材２に摺動可能かつ小さな摩擦力をもって圧接すると共に第１部材１に対して所定の小角度θの範囲で回動可能に規制される圧接摩擦板１３と、その一端１１ａが圧接摩擦板１３に（小角度揺動可能に枢結等されて）連結され、中間部を支点４２として所定の角度範囲で揺動自在であると共に他端１１ｂが退避状態の浮動くさび部材６に弾発的に当接するように配設された弾性揺動部材１１とを、具備している。
図２３〜図２５に示す退避状態下で、第１部材１と第２部材２の展開方向Ｂへの展開動作Ｍ１中は、弾性揺動部材１１の他端１１ｂが浮動くさび部材６に非押圧状態で当接すると共に浮動くさび部材６は退避状態を維持する。図２６に示すように、折畳み方向Ａへの引返し動作Ｍ２により、弾性揺動部材１１が弾発力をもって浮動くさび部材６を（上方へ）押圧して移動させギア部４と歯面７を噛合状態とするように構成されている。
【００２７】
弾性揺動部材１１は、樹脂又は金属から成り、板バネ片状に弾性変形可能な略Ｖ字形状に形成されている。弾性揺動部材１１の一端１１ａは、短円柱状のヘッドを有し、圧接摩擦板１３の円弧状凹部に嵌込まれて揺動自在に支持されている。弾性揺動部材１１は、中間部の下面が第１部材１に支点４２で当接し、例えば、シーソーのように一端１１ａを上下動させれば他端１１ｂが対応して反対に下上に動くように形成されている。
圧接摩擦板１３は、中央に枢結軸２４を挿通するための枢着孔２５が形成され、外周縁部の一部から突出する突片４３に長孔２９が貫設されている。また、圧接摩擦板１３は、左右両側面に突出する一対の摺接凸部２６，２６と、左右方向に交互に折曲げられて弯曲する複数の摺接片部２７，２７，２７を有している。
組立使用状態では、圧接摩擦板１３は、第２部材２のギア板部４５，４５の内面に圧接状として挿入され、ギア板部４５，４５を第１部材１の対面壁部１７，１７（ケース部２３）に装入して挟んだ状態とし、ケース部２３に枢結軸２４を挿通して、第１部材１と第２部材２、及び、圧接摩擦板１３が枢結されている。圧接摩擦板１３の長孔２９には、第１部材１に固着されるストッパピン部材２８が挿通され、圧接摩擦板１３は、第１軸心Ｃ１を中心として所定の小角度θの範囲で回動できるように取着されている。
【００２８】
また、第１部材１のケース部２３を包囲する樹脂製のカバー部材２０を備えている。
カバー部材２０は、第１部材１と第２部材２の下面を覆う底壁部２０Ａと、左右の側面を覆う側壁部２０Ｂと、浮動くさび部材６等の部品の上方を覆う天井壁部２０Ｃとを一体に有し、挿通孔３９，３９を有する金属製の係止具３５によって第１部材１に固着されている。天井壁部２０Ｃの一部には、第２部材２が折畳み方向Ａに揺動した際に進入可能なスリット状開口部３６が形成されており、この開口部３６の両側端縁には、第２部材２に摺接して拡幅可能な薄肉片状のリップ３７が設けられている。側壁部２０Ｂは、浮動くさび部材６の側端面に当接乃至近接して脱落を防止しており、貫通孔２１に対応する位置に孔部３８を有している。係止具３５は、第１部材１のケース部２３に包囲状にカバー部材２０が被せられた状態で、側壁部２０Ｂに弾発力をもって挟み込むように取着され、さらに、枢結軸２４を、挿通孔３９，３９及び孔部３８及び軸受孔２２、枢着孔２５、軸受孔２２に串刺状として挿通して、第１部材１と第２部材２、及び、カバー部材２０と係止具３５が枢結されている。なお、底壁部２０Ａは、側壁部２０Ｂと分離して上下揺動可能な可撓舌片４０を有するも良い。
【００２９】
図１７〜図２８に示す本発明の角度調整金具の使用方法（作用）について説明する。
図１７に示す噛合状態では、浮動くさび部材６の歯面７がギア部４に噛合し、かつ、当接面９がくさび面８に当接し、（第２部材２に展開方向Ｂへ外力が付与されても、）浮動くさび部材６のくさび作用により第１部材１と第２部材２が相対的に展開方向Ｂへ揺動することを規制（阻止）する。
次に、図１８に示すように、第１部材１と第２部材２を相対的に折畳み方向Ａに揺動させる折畳み動作Ｍ０を開始すると、浮動くさび部材６はくさび形窓部５内で下方へ小さく移動し、当接面９がくさび面８から離れて僅かな隙間ｄを生じる。この際、圧接摩擦板１３は、第２部材２との摩擦力によって矢印Ｎ方向（図の反時計回り方向）に回動する。ストッパピン部材２８が長孔２９の一端に当たることにより、圧接摩擦板１３は回動を停止する。
【００３０】
図１９と図２０に示すように、さらに第２部材２を折畳み方向Ａに揺動させると、隙間ｄにより浮動くさび部材６の歯面７がギア部４から離れ、歯面７がギア部４をカチカチと音をたてて乗り越える。
図２１のように、折畳み動作Ｍ０の途中で、第１部材１に対し第２部材２を展開方向Ｂへ揺動させようとしても、浮動くさび部材６のくさび作用により展開方向Ｂへの揺動は規制され、第１部材１と第２部材２の傾斜角度は維持（固定保持）される。
そして、図２２に於て、折畳み動作Ｍ０を続け、歯面７がギア部４を繰り返し乗り越えていくと、ギア部４が終わり、突起部１４が浮動くさび部材６の上端に当接する。
【００３１】
図２３に示すように、突起部１４が浮動くさび部材６に当接した状態で、第１部材１と第２部材２をさらに折畳み方向Ａに揺動させて最終折畳位置Ｐ０とすることにより、浮動くさび部材６がくさび形窓部５内で下方へ移動して退避空間１５に収納され、歯面７がギア部４から離間して、退避状態となる。この際、弾性揺動部材１１は、他端１１ｂが浮動くさび部材６の下端に押圧され、弾性変形する。浮動くさび部材６の下端はくさび形窓部５の底面に当たって止まり、第２部材２は最終折畳位置Ｐ０からさらに折畳み方向Ａには揺動しない。
この退避状態下では、浮動くさび部材６が退避空間１５に収納されて、ギア部４と歯面７の噛合が解除されている。従って、展開方向Ｂへのロック（規制）が解除され、第１部材１と第２部材２は相対的展開方向Ｂへの揺動が可能（フリー状態）となる。
【００３２】
次に、図２４に示すように、第２部材２を展開方向Ｂへ揺動させる展開動作Ｍ１を開始すると、圧接摩擦板１３は、第２部材２の左右のギア板部４５，４５との摩擦力によって矢印Ｒ方向（図の時計回り方向）に小角度θだけ回動する。ストッパピン部材２８が長孔２９の他端に当たることにより、圧接摩擦板１３は回動を停止する。浮動くさび部材６によって撓まされた（弾性変形された）弾性揺動部材１１は、一端１１ａが圧接摩擦板１３の回動に伴って持ち上げられ、弾発力を奪われる。即ち、弾性揺動部材１１は、他端１１ｂが浮動くさび部材６の下端に非押圧状態で当接する。従って、第１部材１と第２部材２の展開方向Ｂへの展開動作Ｍ１中は、弾性揺動部材１１の他端１１ｂが浮動くさび部材６を上方へ押し上げることなく、退避状態を維持する。
【００３３】
図２５に示すように、退避状態下では、浮動くさび部材６のくさび作用が無効化され、第２部材２は、第１部材１に対して展開方向Ｂに揺動自在となり、任意の傾斜角度まで展開することができる。
図２６に於て、第２部材２を最終折畳位置Ｐ０から水平展開状まで展開方向Ｂに揺動させる（展開動作Ｍ１）途中で、折畳み方向Ａへの所定の小角度θの引返し動作Ｍ２を行うと、圧接摩擦板１３が、第２部材２との摩擦力によって矢印Ｎ方向（図の反時計回り方向）に回動する。これと同時に、弾性揺動部材１１は、他端１１ｂを浮動くさび部材６の下端に弾発力をもって押圧し、浮動くさび部材６を退避空間１５から押し出して上方へ移動させる。退避空間１５から押し出された浮動くさび部材６は、歯面７がギア部４と噛合した噛合状態となる（復帰する）。
【００３４】
図２７では、図１７と同様に、浮動くさび部材６の歯面７がギア部４に噛合し、かつ、当接面９がくさび面８に当接した噛合状態となり、浮動くさび部材６のくさび作用が復元して、第１部材１と第２部材２が相対的に展開方向Ｂへ揺動するのを、最終折畳位置Ｐ０から水平展開状までの中間傾斜位置で規制（抑制）することができる。
図２８に示すように、弾性揺動部材１１は、図１８〜図２２では押圧力が作用しない自由状態で保持される（実線）。図２３に於て、一端１１ａはそのままの位置に支持されつつ他端１１ｂが下方へ押し下げられる。次に、図２４では、他端１１ｂに押圧力が掛かったまま一端１１ａが上方へ持ち上げられて弾発力を奪われる（２点鎖線）。そして、図２６に於て、一端１１ａを押し下げることによって、他端１１ｂを上方へ蹴り上げるようにし、浮動くさび部材６を（退避空間１５から）上方へ移動させる。
【００３５】
次に、図２９〜図４１は、本発明の角度調整金具の別の実施形態を示している。
図２９〜図４１に於て、復帰手段１０は、第２部材２に摺動可能に小さな摩擦力をもって圧接すると共に第１部材１に対して所定の小角度θの範囲で回動可能に規制される圧接摩擦板１３と、浮動くさび部材６に当接してギア部４に押し付ける方向に弾発付勢するばね部材１６と、その一端１２ａが圧接摩擦板１３に連結され中間部を支点として所定の角度範囲で揺動自在であると共に他端１２ｂがばね部材１６に連結される揺動腕１２とを、具備している。なお、３４は、揺動腕１２の中間部の支点となる軸ピンを示す。
その他の構成は、上述の実施の形態と同様であるため説明を省略する。
【００３６】
図３７〜図３９に示す退避状態下で、第１部材１と第２部材２の展開方向Ｂへの展開動作Ｍ１中は、揺動腕１２がばね部材１６を第１位置Ｓ１に保持して浮動くさび部材６は退避状態を維持する。図４０に示すように、折畳み方向Ａへの引返し動作Ｍ２により、揺動腕１２がばね部材１６を第１位置Ｓ１から第２位置Ｓ２に移動させてばね部材１６が浮動くさび部材６に摺接しつつ摩擦力をもって浮動くさび部材６を移動させギア部４と歯面７を噛合状態とするように構成されている。図例では、ばね部材１６は、細長矩形状に折曲形成されたばね線材から成り、このばね部材１６の一端（下端）は揺動腕１２の他端１２ｂに枢結されると共に、常時、浮動くさび部材６の当接面９に対して弓型に弯曲しつつ弾発的に当接し、かつ、ばね部材１６の他端（上端）近傍は、第１部材１の上方開口部の一辺端１Ｅに摺動可能に当接し、上述の弓型弯曲に伴う弾発的反力を受持している。
【００３７】
揺動腕１２は、金属から成り、断面略Ｖ字形状に形成されている。揺動腕１２の一端１２ａは、先端断面円形状のヘッドを有し、圧接摩擦板１３の円弧状凹部に嵌込まれて揺動自在に支持されている。揺動腕１２は、中間部が軸ピン３４によって第１部材１に枢着され、一端１２ａを上下動させれば他端１２ｂが逆に対応して下上に動くように形成されている。
なお、ばね部材１６は、矩形状の金属板から成る板ばねであっても良い（図示省略）。圧接摩擦板１３は、中央に枢結軸２４を挿通するための枢着孔２５が形成され、突片４３に長孔２９が貫設されている。また、圧接摩擦板１３は、左右両側面に突出状として一対の摺接凸部２６，２６と、左右方向に交互に折曲げられて弯曲する複数の摺接片部２７，２７を有している（既述の図１〜図１４の実施形態とほぼ同様である）。
組立使用状態では、圧接摩擦板１３は、第２部材２のギア板部４５，４５の内面に圧接状として挿入され、ギア板部４５，４５を第１部材１の対面壁部１７，１７（ケース部２３）に装入して挟んだ状態とし、ケース部２３に枢結軸２４を挿通して、第１部材１と第２部材２、及び、圧接摩擦板１３が枢結されている。圧接摩擦板１３の長孔２９には、第１部材１に固着されるストッパピン部材２８が挿通され、第１軸心Ｃ１を中心として所定の小角度θの範囲で回動できるように取着されている。
【００３８】
図３１〜図４１に示す角度調整金具の使用方法（作用）について説明する。
図３１に示す噛合状態では、浮動くさび部材６の歯面７がギア部４に噛合し、かつ、当接面９がくさび面８に当接し、（第２部材２に展開方向Ｂへ外力が付与されても、）浮動くさび部材６のくさび作用により第１部材１と第２部材２が相対的に展開方向Ｂへ揺動することを規制（阻止）する。
次に、図３２に示すように、第１部材１と第２部材２を相対的に折畳み方向Ａに揺動させる折畳み動作Ｍ０を開始すると、浮動くさび部材６はくさび形窓部５内で下方へ小さく移動し、当接面９がくさび面８から離れて僅かな隙間ｄを生じる。この際、圧接摩擦板１３は、第２部材２との摩擦力によって矢印Ｎ方向（図の反時計回り方向）に回動する。ストッパピン部材２８が長孔２９の一端に当たることにより、圧接摩擦板１３は回動を停止する。
【００３９】
図３３と図３４に示すように、さらに第２部材２を折畳み方向Ａに揺動させると、隙間ｄにより浮動くさび部材６の歯面７がギア部４から離れ、歯面７がギア部４をカチカチと音をたてて乗り越える。
図３５のように、折畳み動作Ｍ０の途中で、第１部材１に対し第２部材２を展開方向Ｂへ揺動させようとしても、浮動くさび部材６のくさび作用により展開方向Ｂへの揺動は規制され、第１部材１と第２部材２の傾斜角度は維持される。
そして、図３６に於て、折畳み動作Ｍ０を続け、歯面７がギア部４を繰り返し乗り越えていくと、ギア部４が終わり、突起部１４が浮動くさび部材６の上端に当接する。
【００４０】
図３７に示すように、突起部１４が浮動くさび部材６に当接した状態で、第１部材１と第２部材２をさらに折畳み方向Ａに揺動させて最終折畳位置Ｐ０とすることにより、浮動くさび部材６がくさび形窓部５内で下方へ移動して退避空間１５に収納され、歯面７がギア部４から離間して退避状態に切換わる。
この退避状態下では、浮動くさび部材６が退避空間１５に収納されて、ギア部４と歯面７の噛合が解除されている。従って、展開方向Ｂへのロック（規制）が解除され、第１部材１と第２部材２は相対的展開方向Ｂへの揺動が可能（フリー状態）となる。
【００４１】
次に、図３８に示すように、第２部材２を展開方向Ｂへ揺動させる展開動作Ｍ１を開始すると、圧接摩擦板１３は、第２部材２との摩擦力によって矢印Ｒ方向（図の時計回り方向）に小角度θだけ回動する。ストッパピン部材２８が長孔２９の他端に当たることにより、圧接摩擦板１３は回動を停止する。揺動腕１２は、他端１２ｂがばね部材１６の下端を引き下げて第１位置Ｓ１に保持する。従って、第１部材１と第２部材２の展開方向Ｂへの展開動作Ｍ１中は、浮動くさび部材６は退避状態を維持する。
【００４２】
図３９に示すように、退避状態下では、浮動くさび部材６のくさび作用が無効化され、第２部材２は、第１部材１に対して展開方向Ｂにフリーに揺動自在となり、任意の傾斜角度まで展開することができる。
図４０に於て、第２部材２を最終折畳位置Ｐ０から水平展開状まで展開方向Ｂに揺動させる（展開動作Ｍ１）途中で、折畳み方向Ａへの所定の小角度θの引返し動作Ｍ２を行うと、圧接摩擦板１３が、第２部材２との摩擦力によって矢印Ｎ方向（図の反時計回り方向）に回動する。この圧接摩擦板１３の回動に伴って、揺動腕１２は、他端１２ｂの上昇をもってばね部材１６を押圧し、ばね部材１６を第１位置Ｓ１から第２位置Ｓ２に移動させる。ばね部材１６は、浮動くさび部材６に摺接しつつ摩擦力をもって浮動くさび部材６を退避空間１５から押し出して（連れ出して）上方へ移動させる。退避空間１５から押し出され（連れ出され）た浮動くさび部材６は、歯面７がギア部４と噛合した噛合状態となる（復帰する）。
【００４３】
図４１では、図３１と同様に、浮動くさび部材６の歯面７がギア部４に噛合し、かつ、当接面９がくさび面８に当接した噛合状態となり、浮動くさび部材６のくさび作用が復元して、第１部材１と第２部材２が相対的に展開方向Ｂへ揺動するのを、（最終折畳位置Ｐ０から水平展開状までの）中間傾斜位置で規制（阻止）することができる。
【００４４】
上述したような本発明の角度調整金具をもってすれば、図４２に示すように、座部３１と背部３２を有し、背部３２の傾斜角度を調整できるよう座部３１と背部３２との連結部３３に角度調整機構を有する角度調整金具３０，３０を備える座椅子であって、角度調整金具３０，３０は、座部３１に対して背部３２の起立方向Ａへの揺動を可能とし、かつ、背部３２が傾倒方向Ｂへ揺動するのを規制し、さらに、座部３１に対し背部３２を略垂直状として最終起立姿勢Ｔ０とすることにより、規制を解除して背部３２の傾倒方向Ｂへの（フリーな）揺動が可能となるように構成され、さらに、背部３２を最終起立姿勢Ｔ０から傾倒方向Ｂへ揺動させる展開動作Ｍ１の途中に於て、起立方向Ａへの所定の小角度θの引返し動作Ｍ２によって、傾倒方向Ｂへの規制（傾動阻止）を復元し背部３２を中間傾斜姿勢Ｔ１で保持する座椅子が構成される。
【００４５】
また、角度調整金具３０は、図示省略するが、例えば、ソファやベッドに於て、ヘッドレストやフットレスト等の揺動部を最終起立姿勢から傾倒方向へ揺動させる展開動作の途中に於て、起立方向への所定の小角度の引返し動作によって、傾倒方向へのロック（傾動阻止）を復元し、揺動部を中間傾斜姿勢で保持するため、非常に至便である。
ソファやベッドに用いる場合、人の体重がヘッドレストやフットレスト等に集中して過大な外力がフレーム部材に掛かるケースが多々あり、ヘッドレストやフットレスト等のフレーム部材が塑性変形を生じて傾倒方向に曲がってしまうことが少なくない。従来の角度調整金具では、フレーム部材に塑性変形が生じることにより、ヘッドレストやフットレスト等を水平展開姿勢以上に傾動させなければ、傾倒方向へのロック（傾動阻止）を復元できなくなるという問題があった。
【００４６】
本発明の角度調整金具をもってすれば、ソファやベッドに用いる場合であっても、ヘッドレストやフットレスト等を水平展開姿勢まで傾動させることなくロック（傾動阻止）を復元できるため、たとえフレーム部材が塑性変形して傾倒方向に曲がっていても、展開動作の途中で起立方向へ引き戻すことで、ヘッドレストやフットレスト等を中間傾斜姿勢で保持できる。
【００４７】
なお、本発明は、設計変更可能であって、例えば、くさび形窓部５を有さずに、代りに、浮動くさび部材６の当接面９を押圧する板片状部材等を用いることも自由である。また、カバー部材２０のデザインや寸法比率を変更しても良い。
特に、図１〜図１４にて述べた梃子部材３、あるいは、図１５〜図２８の弾性揺動部材１１としては、図１２から図１３へ（図２５から図２６へ）圧接摩擦板１３が小角度θだけ（反時計方向へ）回動するのに伴って、浮動くさび部材６を逆方向（時計方向）へ移動させて退避状態から押し出す（連れ出す又は引き出す）作用を成すための連動部材であれば、種々、設計変更が自由である。
また、図２９〜図４１にて述べた、揺動腕１２とばね部材１６の代りに、図３９から図４０へ圧接摩擦板１３が小角度θだけ（反時計方向へ）回動するのに伴って、浮動くさび部材６を逆方向（時計方向）へ移動させて退避状態から押し出す（連れ出す又は引き出す）作用を成すための連動部材であれば、十分であって、コイルばねや渦巻ばねを揺動腕１２に組合わせたり、あるいは、一対のギアの噛合やワイヤ等をもって揺動腕１２に置き換える等も自由である。
【００４８】
以上のように、本発明に係る角度調整金具は、第１部材１と、ギア部４を有する第２部材２とを、揺動可能に枢結し、一面側がギア部４に噛合可能な歯面７とされ他面側が第１部材１側に形成されたくさび面８に当接する当接面９とされた浮動くさび部材６を備え、当接面９がくさび面８に当接すると共に歯面７とギア部４が噛合する噛合状態では、第１部材１と第２部材２が相対的に展開方向Ｂへ揺動するのを抑制し、かつ、第１部材１と第２部材２を相対的に折畳み方向Ａに揺動させて最終折畳位置Ｐ０とすることにより、浮動くさび部材６を移動させてギア部４から離間させギア部４と歯面７の噛合を解除した退避状態とし、退避状態下で、第１部材１と第２部材２が相対的に展開方向Ｂへ揺動可能となるように構成された角度調整金具に於て、第１部材１と第２部材２を最終折畳位置Ｐ０から相対的に展開方向Ｂへ揺動させる展開動作Ｍ１の途中に於て、折畳み方向Ａへの所定の小角度θの引返し動作Ｍ２によって、浮動くさび部材６を退避状態からギア部４との噛合状態に復帰させる復帰手段１０を具備したので、第１部材１と第２部材２を最終折畳位置Ｐ０から展開方向Ｂに揺動させる途中の任意位置にて、折畳み方向Ａに少しだけ引き戻すことで、浮動くさび部材６をギア部４に確実に噛合させ第１部材１と第２部材２が展開方向Ｂに揺動するのを抑制できる。即ち、浮動くさび部材６とギア部４の噛合を解除した後、第１部材１と第２部材２が１８０度の角度を成すまで水平展開状とする以前に、第１部材１と第２部材２を所望の傾斜角度で簡単に保持できる。
【００４９】
また、復帰手段１０は、第２部材２に摺動可能に圧接すると共に第１部材１に対して所定の小角度θの範囲で回動可能に規制される圧接摩擦板１３と、その一端３ａが圧接摩擦板１３に連結され中間部を支点として所定の角度範囲で揺動自在であると共に他端３ｂが退避状態の浮動くさび部材６に押圧可能に配設された梃子部材３とを、具備し、退避状態下で、第１部材１と第２部材２の展開方向Ｂへの展開動作Ｍ１中は、浮動くさび部材６は退避状態を維持し、かつ、折畳み方向Ａへの引返し動作Ｍ２により、圧接摩擦板１３が第２部材２との摩擦力によって所定の小角度θだけ回動すると共に梃子部材３が浮動くさび部材６を押圧して移動させギア部４と歯面７を噛合状態とするように構成されているので、展開動作Ｍ１中は、誤動作を起すことなく浮動くさび部材６が退避状態を維持でき、かつ、折畳み方向Ａへの引返し動作Ｍ２によって、浮動くさび部材６を確実に移動させてギア部４と歯面７を噛合状態とできる。
【００５０】
また、復帰手段１０は、第２部材２に摺動可能に圧接すると共に第１部材１に対して所定の小角度θの範囲で回動可能に規制される圧接摩擦板１３と、その一端１１ａが圧接摩擦板１３に連結され中間部を支点として所定の角度範囲で揺動自在であると共に他端１１ｂが退避状態の浮動くさび部材６に弾発的に当接するように配設された弾性揺動部材１１とを、具備し、退避状態下で、第１部材１と第２部材２の展開方向Ｂへの展開動作Ｍ１中は、弾性揺動部材１１の他端１１ｂが浮動くさび部材６に非押圧状態で当接すると共に浮動くさび部材６は退避状態を維持し、かつ、折畳み方向Ａへの引返し動作Ｍ２により、弾性揺動部材１１が弾発力をもって浮動くさび部材６を押圧して移動させギア部４と歯面７を噛合状態とするように構成されているので、展開動作Ｍ１中は、誤動作を起すことなく浮動くさび部材６が退避状態を維持でき、かつ、折畳み方向Ａへの引返し動作Ｍ２によって、浮動くさび部材６を確実に移動させてギア部４と歯面７を噛合状態とできる。
【００５１】
また、復帰手段１０は、第２部材２に摺動可能に圧接すると共に第１部材１に対して所定の小角度θの範囲で回動可能に規制される圧接摩擦板１３と、浮動くさび部材６に当接してギア部４に押し付ける方向に弾発付勢するばね部材１６と、その一端１２ａが圧接摩擦板１３に連結され中間部を支点Ｏ１２として所定の角度範囲で揺動自在であると共に他端１２ｂがばね部材１６に連結される揺動腕１２とを、具備し、退避状態下で、第１部材１と第２部材２の展開方向Ｂへの展開動作Ｍ１中は、揺動腕１２がばね部材１６を第１位置Ｓ１に保持して浮動くさび部材６は退避状態を維持し、かつ、折畳み方向Ａへの引返し動作Ｍ２により、揺動腕１２がばね部材１６を第１位置Ｓ１から第２位置Ｓ２に移動させてばね部材１６が浮動くさび部材６に摺接しつつ摩擦力をもって浮動くさび部材６を移動させギア部４と歯面７を噛合状態とするように構成されているので、展開動作Ｍ１中は、誤動作を起すことなく浮動くさび部材６が退避状態を維持でき、かつ、折畳み方向Ａへの引返し動作Ｍ２によって、浮動くさび部材６を確実に移動させてギア部４と歯面７を噛合状態とできる。
【００５２】
また、本発明に係る座椅子は、座部３１と背部３２を有し、背部３２の傾斜角度を調整できるよう座部３１と背部３２との連結部３３に角度調整機構を有する角度調整金具３０，３０を備える座椅子に於て、角度調整金具３０，３０は、座部３１に対して背部３２の起立方向Ａへの揺動を可能とし、かつ、背部３２が傾倒方向Ｂへ揺動するのを規制し、さらに、座部３１に対し背部３２を略垂直状として最終起立姿勢Ｔ０とすることにより、規制を解除して背部３２の傾倒方向Ｂへの揺動が可能となるように構成され、背部３２を最終起立姿勢Ｔ０から傾倒方向Ｂへ揺動させる展開動作Ｍ１の途中に於て、起立方向Ａへの所定の小角度θの引返し動作Ｍ２によって、傾倒方向Ｂへの規制を復元し背部３２を中間傾斜姿勢Ｔ１で保持するように構成されたので、背部３２を最終起立姿勢Ｔ０とした後、座部３１と背部３２の成す角度が１８０度になるまで背部３２を傾倒させる必要なく、最終起立姿勢Ｔ０から水平展開姿勢の途中位置で簡単な操作により背部３２を中間傾斜姿勢Ｔ１として所望の角度で確実に保持できる。このように、背部３２の後方に干渉物が存在しているような狭小な使用場所にあっても、所望の背部傾動姿勢に、容易・迅速に角度調整できて、至便である。
【符号の説明】
【００５３】
１  第１部材
２  第２部材
３  梃子部材
３ａ  一端
３ｂ  他端
４  ギア部
６  浮動くさび部材
７  歯面
８  くさび面
９  当接面
１０  復帰手段
１１  弾性揺動部材
１１ａ  一端
１１ｂ  他端
１２  揺動腕
１２ａ  一端
１２ｂ  他端
１３  圧接摩擦板
１６  ばね部材
３０  角度調整金具
３１  座部
３２  背部
３３  連結部
Ａ  折畳み方向（起立方向）
Ｂ  展開方向（傾倒方向）
Ｐ０   最終折畳位置
Ｍ１   展開動作
Ｍ２   引返し動作
θ  小角度
Ｓ１   第１位置    
Ｓ２   第２位置
Ｔ０   最終起立姿勢
Ｔ１   中間傾斜姿勢
Ｏ１２  支点
【要約】      （修正有）【課題】背部を最終折畳み位置から水平展開状に揺動する途中の任意の位置で簡単に揺動規制状態を復元し、迅速かつ円滑に角度調整を行い得る角度調整金具を提供する。【解決手段】第１部材１とギア部４を有する第２部材２とを回動可能に枢結し、浮動くさび部材６を備え、歯面７とギア部４が噛合する噛合状態では、第１部材１と第２部材２が相対的に展開方向Ｂへ揺動するのを抑制し、かつ、ギア部４と歯面７の噛合を解除した退避状態下では、第１部材１と第２部材２が相対的に展開方向Ｂへ揺動可能となるように構成された角度調整金具に於て、第１部材１と第２部材２を最終折畳位置から相対的に展開方向Ｂへ揺動させる展開動作Ｍ１の途中に於て、折畳み方向Ａへの所定の小角度θの引返し動作Ｍ２によって、浮動くさび部材６を退避状態からギア部４との噛合状態に復帰させる復帰手段１０を具備している。【選択図】図１３【図１】
0005555341.tif 000002
【図２】
0005555341.tif 000003
【図３】
0005555341.tif 000004
【図４】
0005555341.tif 000005
【図５】
0005555341.tif 000006
【図６】
0005555341.tif 000007
【図７】
0005555341.tif 000008
【図８】
0005555341.tif 000009
【図９】
0005555341.tif 000010
【図１０】
0005555341.tif 000011
【図１１】
0005555341.tif 000012
【図１２】
0005555341.tif 000013
【図１３】
0005555341.tif 000014
【図１４】
0005555341.tif 000015
【図１５】
0005555341.tif 000016
【図１６】
0005555341.tif 000017
【図１７】
0005555341.tif 000018
【図１８】
0005555341.tif 000019
【図１９】
0005555341.tif 000020
【図２０】
0005555341.tif 000021
【図２１】
0005555341.tif 000022
【図２２】
0005555341.tif 000023
【図２３】
0005555341.tif 000024
【図２４】
0005555341.tif 000025
【図２５】
0005555341.tif 000026
【図２６】
0005555341.tif 000027
【図２７】
0005555341.tif 000028
【図２８】
0005555341.tif 000029
【図２９】
0005555341.tif 000030
【図３０】
0005555341.tif 000031
【図３１】
0005555341.tif 000032
【図３２】
0005555341.tif 000033
【図３３】
0005555341.tif 000034
【図３４】
0005555341.tif 000035
【図３５】
0005555341.tif 000036
【図３６】
0005555341.tif 000037
【図３７】
0005555341.tif 000038
【図３８】
0005555341.tif 000039
【図３９】
0005555341.tif 000040
【図４０】
0005555341.tif 000041
【図４１】
0005555341.tif 000042
【図４２】
0005555341.tif 000043